(57)【要約】【課題】  別体の専用装置を不要にし、装置全体の小型化，省スペース性の向上及び低コスト化を図るとともに、メンテナンスの容易化及び故障や不調の防止を図る。【解決手段】  少なくとも、取水開始からの所定量Ｑｅの初期雨水Ｗｅを排除する初期雨水排除手段２と、初期雨水Ｗｅが排除された雨水Ｗを貯留する貯水部３を具備する雨水収集装置１を構成するに際して、貯水部３の底部３ｄに設けた初期雨水排出口部４と、この初期雨水排出口部４から流出する初期雨水Ｗｅを収容可能な所定の容積を有し、かつ流入する初期雨水Ｗｅの流量よりも少ない排水流量を設定可能な排水孔５ｈ…を有する初期雨水収容桝部５と、少なくとも初期雨水収容桝部５を初期雨水Ｗｅが満たした後に初期雨水排除口部４を閉じる弁機構部６とを有する初期雨水排除手段２を備える。【選択図】  図１
2008008068.tif 000002
【特許請求の範囲】
【請求項１】
少なくとも、取水開始からの所定量の初期雨水を排除する初期雨水排除手段と、前記初期雨水が排除された雨水を貯留する貯水部を具備する雨水収集装置において、前記貯水部の底部に設けた初期雨水排出口部と、この初期雨水排出口部から流出する初期雨水を収容可能な所定の容積を有し、かつ流入する初期雨水の流量よりも少ない排水流量を設定可能な排水孔を有する初期雨水収容桝部と、少なくとも前記初期雨水収容桝部を初期雨水が満たした後に前記初期雨水排除口部を閉じる弁機構部とを有する初期雨水排除手段を備えることを特徴とする雨水収集装置。
【請求項２】
前記貯水部は、流入する雨水が通過する際に当該雨水中の異物を除去するための着脱可能な一又は二以上のフィルタを備え、二以上のフィルタはそれぞれ異なるメッシュを設定することを特徴とする請求項１記載の雨水収集装置。
【請求項３】
前記弁機構部は、前記貯水部内に配したフロート部及びこのフロート部の昇降に連動し、少なくとも前記フロート部の上昇により前記初期雨水排出口部を閉じる弁体部を備えることを特徴とする請求項１記載の雨水収集装置。
【請求項４】
前記貯水部は、前記初期雨水排除手段を配設した基礎タンクと、この基礎タンクに所定水量の雨水が満たされ、かつ当該雨水がオーバフロー口から溢れたなら、溢れた雨水を貯留する貯留タンクを備えることを特徴とする請求項１記載の雨水収集装置。
【請求項５】
前記基礎タンクは、前記弁機構部が閉じた状態で当該基礎タンクから前記初期雨水収容桝部に所定流量の通水を行う通水部を有することを特徴とする請求項４記載の雨水収集装置。
【請求項６】
前記貯留タンクは、接続口を介して連結可能に構成した二以上の貯留タンクを備えることを特徴とする請求項４記載の雨水収集装置。
【請求項７】
前記貯水部は、雨水を浄化する浄水材を用いた浄水手段を備えることを特徴とする請求項１又は４記載の雨水収集装置。
【発明の詳細な説明】
【技術分野】
【０００１】
本発明は、取水開始からの所定量の初期雨水を排除する初期雨水排除手段及び初期雨水が排除された雨水を貯留する貯水部を具備する雨水収集装置に関する。
【背景技術】
【０００２】
従来、降雨時において、住宅に付設された雨樋を流れる雨水を収集して貯留する雨水収集装置は知られており、各種形態の雨水収集装置が提案されている。また、雨樋の雨水を収集する場合、初期の雨水（初期雨水）は、落葉，鳥糞，ゴミ，ほこり，酸性雨成分等により比較的汚れ度合が大きいため、取水開始からの所定量の初期雨水を排除する初期雨水排除手段を設けた雨水収集装置も、特開平１０−３７２５５号公報（雨水利用システム）及び特開２００１−１１５５０１号公報（雨水貯水装置）で知られている。
【０００３】
前者の雨水利用システムは、雨水が流れる縦樋の途中を排水経路と集水経路とに分岐すると共に集水経路を貯水タンクに連通させ、縦樋を流れる雨水が排水経路側に流れるようにしたり集水経路側に流れたりするように切り替える切り替え板を分岐部に回動自在に設け、切り替え板の下部に排水経路側に流れる雨水を受ける雨水一時受けタンクを設け、降雨初期には縦樋を流れる雨水を排水経路側に流して雨水一時受けタンクに受けるようにすると共に雨水一時受けタンクに所定量以上の雨水が溜まったとき、その重量で切り替え板を回動させて集水経路側に雨水が流れるように切り替えるものである。
【０００４】
また、後者の雨水貯水装置は、上部に集水管からの雨水が導入される導入部を有し、底部に導入部より小さな開口の排水口を有して形成された、初期雨水を受け入れる受水部と、この受水部に配設された受水部に溜まる水量に応じて変位するフロート部と、このフロート部とつながって排水口を開閉するように設けられた排水口を所定水量になるまでは開放させて、初期雨水を一部は排水口から外部へ排水しながら受水部に貯溜させる弁体と、所定水量の水位に対応した受水部の側壁に形成され、所定水量になるにしたがい初期雨水に続く通常雨水を貯水槽へ導く通孔部とを設けたものである。
【特許文献１】特開平１０−３７２５５号
【特許文献２】特開２００１−１１５５０１号
【発明の開示】
【発明が解決しようとする課題】
【０００５】
しかし、上述した従来の雨水収集装置は、次のような問題点があった。
【０００６】
第一に、取水開始からの所定量の初期雨水を排除する初期雨水排除手段は、装置本体（貯水タンクや貯水槽）とは別体となる初期雨水分離装置等の専用装置として構成し、装置本体の前段に接続するため、装置全体が大型構成になり、設置する際の省スペース性に劣るとともに、コストアップを招く要因ともなる。
【０００７】
第二に、装置本体の前段に初期雨水分離装置として接続することから、初期雨水に混入する落葉やゴミ等の異物を除去するフィルタを設けにくい。結局、初期雨水の収集時における異物が初期雨水分離装置に詰まりやすく、頻繁なメンテナンスが強いられるとともに、故障や不調の原因となる。
【０００８】
第三に、この種の雨水収集装置は、集中豪雨などに対する流水緩衝対策と資源としての雨水の有効利用の二つの側面を有しているが、専ら雨水の有効利用に重点がおかれる傾向があり、二つの側面の双方を十分に満たす観点からの十分な検討が行われているとは言い難い。
【０００９】
本発明は、このような背景技術に存在する課題を解決した雨水収集装置の提供を目的とするものである。
【課題を解決するための手段】
【００１０】
本発明は、上述した課題を解決するため、少なくとも、取水開始からの所定量Ｑｅの初期雨水Ｗｅを排除する初期雨水排除手段２と、初期雨水Ｗｅが排除された雨水Ｗを貯留する貯水部３を具備する雨水収集装置１を構成するに際して、貯水部３の底部３ｄに設けた初期雨水排出口部４と、この初期雨水排出口部４から流出する初期雨水Ｗｅを収容可能な所定の容積を有し、かつ流入する初期雨水Ｗｅの流量よりも少ない排水流量を設定可能な排水孔５ｈ…を有する初期雨水収容桝部５と、少なくとも初期雨水収容桝部５を初期雨水Ｗｅが満たした後に初期雨水排除口部４を閉じる弁機構部６とを有する初期雨水排除手段２を備えることを特徴とする。
【００１１】
この場合、発明の好適な態様により、貯水部３は、流入する雨水Ｗｅ，Ｗが通過する際に当該雨水Ｗｅ，Ｗ中の異物Ｆｘ…を除去するための着脱可能な一又は二以上のフィルタ１１ａ…を備え、二以上のフィルタ１１ａ，１１ｂ…はそれぞれ異なるメッシュを設定することができる。また、弁機構部６は、貯水部３内に配したフロート部１２及びこのフロート部１２の昇降に連動し、少なくともフロート部１２の上昇により初期雨水排出口部４を閉じる弁体部１３を備えて構成できる。他方、貯水部３は、初期雨水排除手段２を備える基礎タンク３ｏと、この基礎タンク３ｏに所定水量Ｑｍの雨水Ｗを収容し、かつ当該雨水Ｗがオーバフロー口３ｏｕから溢れたなら、溢れた雨水Ｗを貯留する貯留タンク３ａ…を備えて構成できる。この際、基礎タンク３ｏは、弁機構部６が閉じた状態で当該基礎タンク３ｏから初期雨水収容桝部５に所定流量の通水を行う通水部１４を設けることが望ましい。また、貯留タンク３ａ…は、接続口３ａｉ，３ａｏ…を介して連結可能に構成した二以上の貯留タンク３ａ，３ｂ…を用いることができる。さらに、貯水部３には、雨水Ｗを浄化する浄水材１６を用いた浄水手段１５を設けることができる。
【発明の効果】
【００１２】
このような構成を有する本発明に係る雨水収集装置１によれば、次のような顕著な効果を奏する。
【００１３】
（１）  貯水部３の底部３ｄに設けた初期雨水排出口部４と、この初期雨水排出口部４から流出する初期雨水Ｗｅを収容可能な所定の容積を有し、かつ流入する初期雨水Ｗｅの流量よりも少ない排水流量を設定可能な排水孔５ｈ…を有する初期雨水収容桝部５と、少なくとも初期雨水収容桝部５を初期雨水Ｗｅが満たした後に初期雨水排除口部４を閉じる弁機構部６とを有する初期雨水排除手段２を備えるため、この初期雨水排除手段２は、貯水部３の内部に一体的に設けることが可能となる。したがって、別体に構成する専用装置が不要になり、収集装置１全体の小型化を実現でき、設置する際の省スペース性を高めることができるとともに、低コスト化に貢献できる。
【００１４】
（２）  貯水部３の底部３ｄに初期雨水排除手段２を設けるため、この初期雨水排除手段２には、貯水部３に付設するフィルタ１１ａ…を通過した初期雨水Ｗｅ、即ち、落葉やゴミ等の異物Ｆｘ…の除去された初期雨水Ｗｅを供給することができる。したがって、初期雨水Ｗｅの流入時における異物Ｆｘ…が初期雨水排除手段２に詰まるなどの不具合を回避でき、メンテナンスの容易化を図れるとともに、故障や不調を防止できる。
【００１５】
（３）  好適な態様により、貯水部３に、流入する雨水Ｗｅ，Ｗが通過する際に当該雨水Ｗｅ，Ｗ中の異物Ｆｘ…を除去するための着脱可能な一又は二以上のフィルタ１１ａ…を備え、二以上のフィルタ１１ａ，１１ｂ…はそれぞれ異なるメッシュを設定するようにすれば、雨水Ｗｅ，Ｗに混入する大小様々な異物Ｆｘ…を有効かつ確実に除去できる。
【００１６】
（４）  好適な態様により、弁機構部６を、貯水部３内に配したフロート部１２及びこのフロート部１２の昇降に連動し、少なくともフロート部１２の上昇により初期雨水排出口部４を閉じる弁体部１３を備えて構成すれば、弁機構部６を比較的簡易な構造により構成できるとともに、弁機構部６を確実に機能させることができる。
【００１７】
（５）  好適な態様により、貯水部３を、初期雨水排除手段２を備える基礎タンク３ｏと、この基礎タンク３ｏに所定水量Ｑｍの雨水Ｗを収容し、かつ当該雨水Ｗがオーバフロー口３ｏｕから溢れたなら、溢れた雨水Ｗを貯留する貯留タンク３ａ…を備えて構成すれば、基礎タンク３ｏに収容された雨水Ｗのうち、奇麗な上澄み水のみを貯留タンク３ａ…に貯留することができ、雨水Ｗに対する用途拡大や有効利用に寄与できる。
【００１８】
（６）  好適な態様により、基礎タンク３ｏに、弁機構部６が閉じた状態で当該基礎タンク３ｏから初期雨水収容桝部５に所定流量の通水を行う通水部１４を設ければ、基礎タンク３ｏに収容された雨水Ｗを少しずつ排出できるため、基礎タンク３ｏに、雨水Ｗを一時的に貯留するダム機能を持たせることができ、集中豪雨などに対する有効な流水緩衝対策に利用できる。
【００１９】
（７）  好適な態様により、貯留タンク３ａ…に、接続口３ａｉ，３ａｏ…を介して連結可能に構成した二以上の貯留タンク３ａ，３ｂ…を用いれば、貯留タンク３ａ…の貯留能力を設置場所の状態（屋根面積等）に応じて容易かつ柔軟に設定できる。
【００２０】
（８）  好適な態様により、貯水部３に、雨水Ｗを浄化する浄水材１６を用いた浄水手段１５を設ければ、貯留タンク３ａ…に貯留する雨水Ｗの更なる浄化に寄与できる。
【発明を実施するための最良の形態】
【００２１】
次に、本発明に係る最良の実施形態を挙げ、図面に基づき詳細に説明する。
【００２２】
まず、本実施形態に係る雨水収集装置１の構成について、図１〜図６を参照して説明する。
【００２３】
図１及び図２は、雨水収集装置１の全体構成を示す。図１中、Ｐは、住宅の外壁に付設した鉛直方向の雨樋を示す。この雨樋Ｐは、所定の高さ位置で切断し、切断後の下端部は、雨水収集装置１を接続する接続口Ｐｄとする。Ｇは、雨水収集装置１を設置する設置面（地面）である。
【００２４】
雨水収集装置１において、３は貯水部であり、基本的な構成として基礎タンク３ｏと貯留タンク３ａを備える。基礎タンク３ｏは、上端が開放されたタンク本体部２１と、このタンク本体部２１の上端を覆う着脱式の蓋部２２を備える。蓋部２２には、接続口２２ｃを設け、上述した雨樋Ｐの接続口Ｐｄと接続口２２ｃを雨水導入管２３により接続する。この雨水導入管２３には、自在に変形する蛇腹管を用いることが望ましい。なお、タンク本体部２１は、複数の脚部２４…により所定の高さ位置に支持される。
【００２５】
一方、タンク本体部２１には、初期雨水排除手段２を設ける。図３に、初期雨水排除手段２を抽出して示す。初期雨水排除手段２は、タンク本体部２１（基礎タンク３ｏ）の底部（底面部）３ｄに設けた初期雨水排出口部４と、この初期雨水排出口部４から流出する初期雨水Ｗｅを収容可能な所定の容積を有し、かつ流入する初期雨水Ｗｅの流量よりも少ない排水流量を設定可能な排水孔５ｈ…を有する初期雨水収容桝部５と、少なくとも初期雨水収容桝部５を初期雨水Ｗｅが満たした後に初期雨水排除口部４を閉じる弁機構部６とを備えて構成する。
【００２６】
この場合、初期雨水排出口部４は、底部３ｄに形成した開口から下方に突出する接続口４ｃを有するとともに、底部３ｄに形成した開口の上面縁部は、弁座部２６として機能するように、例えば、テーパを設けて形成する。また、弁座部２６の上面には、一又は二以上の凹溝による通水部１４を形成し、後述する弁体部１３が弁座部２６に当接した状態であっても、この通水部１４を通って基礎タンク３ｏの内部から接続口４ｃに所定流量の通水が行えるようにする。このような通水部１４を設けることにより、基礎タンク３ｏに収容された雨水Ｗを少しずつ排出できるため、基礎タンク３ｏに、雨水Ｗを一時的に貯留するダム機能を持たせることができ、集中豪雨などに対する有効な流水緩衝対策に利用できる。
【００２７】
初期雨水収容桝部５は、上端を開放した桝本体部２７とこの桝本体部２７の上端を覆うカバー部２８を備え、桝本体部２７の下部には、多数の小孔による排水孔５ｈ…を形成する。桝本体部２７は、設置面（地面）Ｇに埋設して使用し、内部には必要に応じて砂利やバラス等の充填材３０を収容するとともに、カバー部２８には、接続口２８ｃを設け、この接続口２８ｃと接続口４ｃをフレキシブルな接続管３１により接続する。これにより、流入した初期雨水Ｗｅを初期雨水収容桝部５に収容できるとともに、排水孔５ｈ…からは所定の排水流量により初期雨水Ｗｅ（雨水Ｗ）が外部に排出される。なお、排水孔５ｈ…により流入する初期雨水Ｗｅの流量よりも少ない排水流量を設定するとは、排水孔５ｈ…の数量や大きさにより設定するとともに、実質的には地面Ｇに対する浸透率を考慮して設定する。
【００２８】
弁機構部６は、貯水部３内に配したフロート部１２及びこのフロート部１２の昇降に連動し、少なくともフロート部１２の上昇により初期雨水排出口部４を閉じる弁体部１３を備える。この場合、底部３ｄの上面にブラケット部３３を固定し、このブラケット部３３によりレバー部３４の中間位置を支軸により回動自在に支持するとともに、レバー部３４の先端にゴムボール等の球状の弁体部１３をワイヤ材３５により吊り下げ、かつレバー部３４の後端にフロート部１２を取付ける。３６，３７は、レバー部３２の回動範囲を規制するストッパ部であり、ストッパ部３６は、フロート部１２の上昇変位を規制するとともに、ストッパ部３７は、フロート部１２の下降変位を規制する。このような弁機構部６を用いることにより、弁機構部６を比較的簡易な構造により構成できるとともに、弁機構部６を確実に機能させることができる利点がある。
【００２９】
これにより、弁機構部６は、降雨がなければ、図３に仮想線で示すように、フロート部１２が自重で下降するため、弁体部１３は上昇し、初期雨水排出口部４を開いた状態に維持する。これに対して、降雨が開始し、初期雨水Ｗｅが初期雨水収容桝部５を満たし、さらに、基礎タンク３ｏ内において雨水Ｗの水位が上昇すれば、図３に実線で示すように、フロート部１２が浮力で上昇するため、弁体部１３は下降し、弁座部２６に当接して初期雨水排除口部４を閉じることができる。
【００３０】
他方、基礎タンク３ｏの内部空間上部には、流入する雨水Ｗｅ，Ｗを通過させることにより当該雨水Ｗｅ，Ｗ中の異物Ｆｘ…を除去するための着脱可能な三つのフィルタ１１ａ，１１ｂ，１１ｃを配設する。図５に、フィルタ１１ａ…を抽出して示す。各フィルタ１１ａ…は、図２に現れる矩形のフレーム４１…を有し、各フレーム４１…にネット４２ａ，４２ｂ，４２ｃを取付けて構成する。各ネット４２ａ，４２ｂ，４２ｃは、それぞれ異なるメッシュを設定し、最上部のフィルタ１１ａは、比較的大きいメッシュ（粗目）のネット４２ａを使用し、最下部のフィルタ１１ｃは、比較的小さいメッシュ（細目）のネット４２ｃを使用し、中間のフィルタ１１ｂは、ネット４２ａと４２ｃの中間のメッシュ（中目）を有するネット４２ｂを使用する。各フィルタ１１ａ…をセットするに際しては、基礎タンク３ｏの内面に、支持プレート４３を取付け、この支持プレート４３の上に各フィルタ１１ｃ…を順番に重ねてセットする。
【００３１】
したがって、フィルタ１１ａ…は、任意の数量及び種別を選定できるとともに、タンク本体部２１の上端から取出可能なため、清掃やメンテナンスを容易に行うことができる。また、各フィルタ１１ａ，１１ｂ…にそれぞれ異なるメッシュを設定するため、フィルタ１１ａにより大ゴミＦｘを、フィルタ１１ｂにより中ゴミＦｍを、フィルタ１１ｃにより小ゴミＦｓをそれぞれ除去できるなど、雨水Ｗｅ，Ｗに混入する大小様々な異物Ｆｘ…を有効かつ確実に除去できる利点がある。
【００３２】
さらに、基礎タンク３ｏの側面には、溢れた雨水Ｗを流出させる流出口（接続口）を兼ねるオーバフロー口３ｏｕを設ける。このオーバフロー口３ｏｕは、最下部のフィルタ１１ｃの下方であってその近傍位置を選定する。
【００３３】
一方、基礎タンク３ｏに隣接して貯留タンク３ａを設置する。貯留タンク３ａは、上端が開放されたタンク本体部５１と、このタンク本体部５１の上端を覆う着脱式の蓋部５２を備える。タンク本体部５１における対向する一対の側面部の上部位置には、それぞれ接続口３ａｉと３ａｏを設け、この接続口３ａｉと基礎タンク３ｏのオーバフロー口３ｏｕを接続管５４により接続する。この接続管５４には自在に変形する蛇腹管を用いることが望ましい。また、接続口３ａｏはキャップ５５により閉塞する。なお、タンク本体部５１は、複数の脚部５３…により所定の高さ位置に支持される。
【００３４】
図１は、一つの貯留タンク３ａを利用する場合を示すが、複数の貯留タンク３ａ，３ｂ…を利用する場合には、図６に示すように、キャップ５５を最後部に連結する貯留タンク３ｂの接続口３ｂｏに装着するとともに、貯留タンク３ａの接続口３ａｏと貯留タンク３ｂの接続口３ｂｉを接続管５６により接続すればよい。このように、貯留タンク３ａ…に、接続口３ａｉ，３ａｏ…を介して連結可能に構成した二以上の貯留タンク３ａ，３ｂ…を用いれば、貯留タンク３ａ…の貯留能力を設置場所の状態（屋根面積等）に応じて容易かつ柔軟に設定できる利点がある。
【００３５】
また、接続口３ａｉ（３ｂｉも同じ）には、図４に示すような浄水手段１５を付設することができる。浄水手段１５は、貯留タンク３ａに流入する雨水Ｗが浄水手段１５を通過できるように接続口３ａｉを利用して取付け、雨水Ｗの流水経路の一部を構成する。浄水手段１５は、ネットを付設した流入口６１ｉとネットを付設した流出口６１ｏを有する流路ボックス６１を備え、この流路ボックス６１の内部に、活性炭等の浄水材１６を収容して構成する。これにより、接続口３ａｉから流入する雨水Ｗは、矢印Ｄｉの経路で流路ボックス６１の内部を通過し、この際、浄水材１６により浄化（浄水）が行われる。その他、タンク本体部５１の前面部の下部には、蛇口５７を付設するとともに、タンク本体部５１の内部には、上端にネットを付設したオーバフロー口５８ｎを有する排水管５８を起設し、排水管５８の下端排出口はタンク本体部５１における底部の下方に露出させる。
【００３６】
次に、本実施形態に係る雨水収集装置１の作用（機能）について、図７に示すフローチャートを参照して説明する。
【００３７】
今、天候が晴れている状態から雨が降り始めた状態を想定する（ステップＳ１）。住宅における屋根上の雨水は、図１に示す鉛直の雨樋Ｐを流れ落ち、雨水導入管２３を通って基礎タンク３ｏの内部に流入する（ステップＳ２）。この際、雨が降り始めてから基礎タンク３ｏに最初に流入する雨水は初期雨水Ｗｅとなる。基礎タンク３ｏに流入した初期雨水Ｗｅは、まず、三つのフィルタ１１ａ，１１ｂ，１１ｃを通過する。初期雨水Ｗｅは、落葉，鳥糞，ゴミ，ほこり，酸性雨成分等により比較的汚れ度合が大きいため、各フィルタ１１ａ，１１ｂ，１１ｃにより異物Ｆｘ…の除去が行われる（ステップＳ３）。この場合、図５に示すように、最初に、粗目のネット４２ａを有するフィルタ１１ａにより、落葉等の大ゴミＦｘが除去され、この後、中目のネット４２ｂを有するフィルタ１１ｂにより、木の実等の中ゴミＦｍが除去され、この後、細目のネット４２ｃを有するフィルタ１１ｃにより、砂等の小ゴミＦｓが除去される。
【００３８】
そして、各フィルタ１１ａ…を通過した初期雨水Ｗｅは、基礎タンク３ｏの底部３ｄに落下する。この際、弁機構部６は開いた状態、即ち、弁体部１３は、図３において仮想線で示す位置に上昇しているため、初期雨水Ｗｅは、初期雨水排除口部４を通って初期雨水収容桝部５に流入する（ステップＳ４）。初期雨水収容桝部５は、所定の排水流量により外部に排水可能に設置されており、初期雨水収容桝部５に流入する初期雨水Ｗｅの流量が排水流量よりも少ない状態にあれば、流入した初期雨水Ｗｅは、初期雨水収容桝部５に貯留されることなく全て外部に排出されるとともに、流入する初期雨水Ｗｅの流量が排水流量よりも多い状態になれば、多い分だけ初期雨水収容桝部５に貯留される（ステップＳ５，Ｓ６）。初期雨水Ｗｅは、通常、降雨開始から徐々に多くなるため、最初は、早い時間に地面Ｇに浸透し、ある程度の流量に達すれば、初期雨水収容桝部５に貯留される。したがって、汚れた初期雨水Ｗｅの排除が早い時間に確実に行われる。また、初期雨水Ｗｅの流入する流量が多くなり、初期雨水Ｗｅが初期雨水収容桝部５を満たせば、さらに、基礎タンク３ｏに貯留し始める。これにより、フロート部１２は、図３に実線で示す位置まで浮力により徐々に上昇するとともに、他方、弁体部１３が弁座部２６に当接し、初期雨水排除口部４が閉塞されることにより弁機構部６は閉じた状態になる（ステップＳ７）。
【００３９】
弁機構部６が閉じた状態になることにより、基礎タンク３ｏに流入した雨水Ｗは、タンク本体部２１に貯留される（ステップＳ８）。そして、タンク本体部２１内の雨水Ｗが、溢れレベルとなるオーバフロー口３ｏｕの高さ位置まで満たせば、雨水Ｗはオーバフロー口３ｏｕから流出し、接続管５４を通って流路ボックス６１に流入する。雨水Ｗは流路ボックス６１内を矢印Ｄｉ（図４）の経路により流れ、浄水材１６により浄化された後、貯留タンク３ａの内部に貯留される（ステップＳ９，Ｓ１０，Ｓ１１）。このように、貯留タンク３ａは、基礎タンク３ｏに収容された雨水Ｗのうち、奇麗な上澄み水のみをに貯留できるため、雨水Ｗに対する用途拡大や有効利用に寄与できる。また、雨水Ｗは、流路ボックス６１内の浄水材１６（浄水手段１５）により浄化されるため、貯留タンク３ａに貯留する雨水Ｗの更なる浄化に寄与できる。
【００４０】
一方、貯留タンク３ａに貯留した雨水Ｗは、蛇口５７から外部に供給し、利用できるとともに、貯留タンク３ａに満杯になった雨水Ｗは、排水管５８を通して外部に排出される。他方、雨が止めば、基礎タンク３ｏへの雨水Ｗの流入が停止し、基礎タンク３ｏに対する追加の貯留は無くなる。この場合、基礎タンク３ｏ内には雨水Ｗが残留するが、底部３ｄには通水部１４が設けられているため、基礎タンク３ｏ内の残留した雨水Ｗは、少しずつ通水部１４を通して初期雨水収容桝部５に流入した後、地面Ｇに浸透する。この結果、最終的には、基礎タンク３ｏ及び初期雨水収容桝部５の内部は空の状態になり、弁機構部６は開いた状態となる（ステップＳ１２）。
【００４１】
このように、本実施形態に係る雨水収集装置１によれば、初期雨水排除手段２を、貯水部３の内部に一体的に設けることができるため、別体に構成する専用装置が不要になる。したがって、収集装置１全体の小型化を実現でき、設置する際の省スペース性を高めることができるとともに、低コスト化に貢献できる。また、貯水部３の底部３ｄに初期雨水排除手段２を設けるため、この初期雨水排除手段２に、貯水部３に付設するフィルタ１１ａ…を通過した初期雨水Ｗｅ、即ち、落葉やゴミ等の異物Ｆｘ…の除去された初期雨水Ｗｅを供給することができる。したがって、初期雨水Ｗｅの流入時における異物Ｆｘ…が初期雨水排除手段２に詰まるなどの不具合を回避でき、メンテナンスの容易化を図れるとともに、故障や不調を防止できる。
【００４２】
次に、本発明に係る雨水収集装置１の変更実施形態について、図８及び図９を参照して説明する。
【００４３】
図８に示す雨水収集装置１は、貯水部３として基礎タンク３ｏのみを使用し、他の貯留タンク３ａ…を使用しない変更実施形態を示す。この場合、通水部１４を設けず、基礎タンク３ｏに貯留（残留）した雨水Ｗを利用する。したがって、オーバフロー口３ｏｕには排水管７１を接続し、溢れた雨水Ｗを外部に排出するとともに、基礎タンク３ｏのタンク本体２１の下部に蛇口７２を設ける。なお、弁機構部６には、プレート状の弁体部１３を用いた場合を例示する。
【００４４】
図９に示す雨水収集装置１は、図１と同様、貯水部３として基礎タンク３ｏと貯留タンク３ａ…を使用するとともに、通水部１４の通水量を調整できるように構成した変更実施形態を示す。この場合、弁機構部６を構成するプレート状の弁体部１３に通水口８１を形成するとともに、支軸ネジ８３を介して調整用サブプレート８２を取付けた。したがって、支軸ネジ８３を締緩することにより調整用サブプレート８２を回動変位させれば、通水口８１を完全に閉塞する位置から全開する位置まで、通水口８１の開口面積を任意に設定できる。なお、図８及び図９において、図１〜図６と同一部分には同一符号を付してその構成を明確にした。
【００４５】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、初期雨水収容桝部５は、地面Ｇに埋設する場合を示したが、必ずしも埋設することを要しない。したがって、タンク本体部２１を上下二段構成とし、下段部分を初期雨水収容桝部５として構成することもできる。また、必要により、加熱手段，冷却手段，ポンプ手段等の各種補助機器（周辺機器）を付設することも可能である。
【図面の簡単な説明】
【００４６】
【図１】本発明の最良の実施形態に係る雨水収集装置の一部断面正面図、
【図２】同雨水収集装置の蓋部を除いた状態の平面図、
【図３】同雨水収集装置に用いる初期雨水排除手段の断面構成図、
【図４】同雨水収集装置に用いる浄水手段の断面構成図、
【図５】同雨水収集装置に用いるフィルタの断面構成図、
【図６】同雨水収集装置に複数の貯留タンクを用いた形態の一部断面正面図、
【図７】同雨水収集装置の作用（機能）を説明するためのフローチャート、
【図８】本発明の変更実施形態に係る雨水収集装置の一部を示す断面正面図、
【図９】本発明の他の変更実施形態に係る雨水収集装置の一部及び抽出平面図を示す断面正面図、
【符号の説明】
【００４７】
１：雨水収集装置，２：初期雨水排除手段，３：貯水部，３ｄ：貯水部の底部，３ｏ：基礎タンク，３ａ…：貯留タンク，３ａｉ：接続口，３ａｏ：接続口，３ｏｕ：オーバフロー口，４：初期雨水排出口部，５：初期雨水収容桝部，５ｈ…：排水孔，６：弁機構部，１１ａ…：フィルタ，１２：フロート部，１３：弁体部，１４：通水部，１５：浄水手段，１６：浄水材，Ｗｅ：初期雨水，Ｗ：雨水，Ｆｘ…：異物
【図１】
2008008068.tif 000003
【図２】
2008008068.tif 000004
【図３】
2008008068.tif 000005
【図４】
2008008068.tif 000006
【図５】
2008008068.tif 000007
【図６】
2008008068.tif 000008
【図７】
2008008068.tif 000009
【図８】
2008008068.tif 000010
【図９】
2008008068.tif 000011